(57)【要約】【課題】容器本体と蓋体を簡単に再密閉でき、しかも収容物の脱落を確実に防止できる包装容器を提供する。【解決手段】板状の芳香具３０が入る凹部６を有する容器本体２と、凸部８を有する蓋体５とをヒンジ部４を介して連結し、凹部６を形成する側壁と凸部８を形成する側壁に第２の係止部１２，１３をそれぞれ設け、容器本体２の凹部６と蓋体５の凸部８とを嵌合し、且つ、各第２の係止部１２，１３をそれぞれ係止させて密閉状態とする。【選択図】図２
2010064797.tif 000002
【特許請求の範囲】
【請求項１】
収容物が入る凹部を有する容器本体と、この容器本体にヒンジ部を介して連結されると共に、凸部を有する蓋体とから成り、これら凹部を形成する側壁と凸部を形成する側壁の前記ヒンジ部近傍の両側に係止部をそれぞれ設け、前記容器本体の収容物が入る凹部を前記蓋体の凸部に嵌合させる際に、前記凹部の側壁の前記ヒンジ部近傍の両側に設けた係止部と前記凸部の側壁の前記ヒンジ部近傍の両側に設けた係止部とをそれぞれ係止させることを特徴とする包装容器。
【請求項２】
請求項１記載の包装容器であって、
前記凹部を形成する側壁の前記ヒンジ部の反対側と前記凸部を形成する側壁の前記ヒンジ部の反対側の両側に係止部をそれぞれ設け、前記容器本体の収容物が入る凹部を前記蓋体の凸部に嵌合させる際に、前記凹部の側壁の前記ヒンジ部近傍の両側及び該ヒンジ部の反対側の両側に設けた係止部と前記凸部の側壁の前記ヒンジ部近傍の両側及び該ヒンジ部の反対側の両側に設けた係止部とをそれぞれ係止させることを特徴とする包装容器。
【請求項３】
請求項１記載の包装容器であって、
前記ヒンジ部にミシン目を形成して、前記容器本体から前記収容物を取り付けた前記蓋体を切り離し可能にしたことを特徴とする包装容器。
【発明の詳細な説明】
【技術分野】
【０００１】
本発明は、芳香具等の収容物を収容する包装容器に関する。
【背景技術】
【０００２】
従来の包装容器は、収容物が入る凹部を有する容器本体と、この容器本体にヒンジ部を介して連結された略平坦面状の蓋体とから構成されている。容器本体の周囲の凹部以外の平坦面部と、これに対応する蓋体の周囲には凹凸状の嵌合部がそれぞれ設けられている。
【０００３】
そして、蓋体をヒンジ部を介して容器本体に合わせる閉方向に移動させると、互いの嵌合部が嵌合することで密閉状態となる。また、この密閉状態にあって、蓋体を容器本体に対して引き離す開方向に移動させると、互いの嵌合部間の嵌合が外れて容器本体の凹部が開放状態となる。
【先行技術文献】
【特許文献】
【０００４】
【特許文献１】特開平９−２７２５８３号公報
【発明の概要】
【発明が解決しようとする課題】
【０００５】
しかしながら、従来の包装容器では、容器本体と蓋体を再封止（再密閉）する際に、容器本体と蓋体の凹凸状の各嵌合部の強度が弱いため、容器本体の凹部と蓋体の密閉状態が保持できなかった。また、容器本体と蓋体の周囲の平坦面部同士を単に突き合わすことで容器本体の凹部が密閉状態となっているため、容器本体と蓋体との間が位置ずれし易く、さらに、容器本体や蓋体のゆがみ等によって容器本体と蓋体に隙間が発生し、この隙間から収容物が脱落するという問題があった。
【０００６】
そこで、本発明は、前記した課題を解決すべくなされたものであり、容器本体と蓋体を簡単に再密閉でき、しかも収容物の脱落を確実に防止できる包装容器を提供することを目的とする。
【課題を解決するための手段】
【０００７】
請求項１の発明は、収容物が入る凹部を有する容器本体と、この容器本体にヒンジ部を介して連結されると共に、凸部を有する蓋体とから成り、これら凹部を形成する側壁と凸部を形成する側壁のヒンジ部近傍の両側に係止部をそれぞれ設け、容器本体の収容物が入る凹部を蓋体の凸部に嵌合させる際に、凹部の側壁のヒンジ部近傍の両側に設けた係止部と凸部の側壁のヒンジ部近傍の両側に設けた係止部とをそれぞれ係止させる包装容器であり、請求項２の発明は、凹部を形成する側壁のヒンジ部の反対側と凸部を形成する側壁のヒンジ部の反対側の両側に係止部をそれぞれ設け、容器本体の収容物が入る凹部を蓋体の凸部に嵌合させる際に、凹部の側壁のヒンジ部近傍の両側及び該ヒンジ部の反対側の両側に設けた係止部と凸部の側壁のヒンジ部近傍の両側及び該ヒンジ部の反対側の両側に設けた係止部とをそれぞれ係止させる包装容器であり、請求項３の発明は、ヒンジ部にミシン目を形成して、容器本体から収容物を取り付けた蓋体を切り離し可能にした包装容器である。
【発明の効果】
【０００８】
以上説明したように、請求項１の発明によれば、容器本体の収容物が入る凹部と蓋体の凸部とが嵌合される際に、凹部の側壁のヒンジ部近傍の両側に設けた係止部と凸部の側壁のヒンジ部近傍の両側に設けた係止部とがそれぞれ係止されるため、容器本体と蓋体とが強制的に位置合わせされ、ゆがみ等の発生が極力抑えられ、仮に容器本体や蓋体にゆがみ等が発生しても容器本体と蓋体との間に隙間が発生せず、収容物の脱落を防止できる。また、容器本体の収容物が入る凹部が蓋体の凸部に嵌合される構造であるため、開閉動作を繰り返しても密閉状態を確実に保持できる。特に、容器本体の凹部と蓋体の凸部との嵌合が凹部の側壁のヒンジ部近傍の両側に設けた係止部と凸部の側壁のヒンジ部近傍の両側に設けた係止部とのそれぞれの係止によってより強固になるため、収容物の脱落をより確実に防止できる。
【０００９】
請求項２の発明によれば、容器本体の凹部と蓋体の凸部との嵌合が凹部の側壁のヒンジ部近傍の両側及び該ヒンジ部の反対側の両側に設けた係止部と凸部の側壁のヒンジ部近傍の両側及び該ヒンジ部の反対側の両側に設けた係止部とのそれぞれの係止によってより一段と強固になり、収容物の脱落をより確実に防止できる。
【００１０】
請求項３の発明によれば、容器本体と蓋体とを連結したヒンジ部にミシン目を形成したことによって、容器本体から収容物を取り付けた蓋体を簡単に切り離しできる。
【図面の簡単な説明】
【００１１】
【図１】本発明の実施形態の台紙が装着された包装容器の密閉状態を示す斜視図である。
【図２】本発明の実施形態の蓋体を開いた開放状態の包装容器を示す斜視図である。
【図３】本発明の実施形態の包装容器の蓋体の背面の凹部内に芳香具を貼着した状態を示す背面図である。
【発明を実施するための形態】
【００１２】
以下、本発明の一実施形態を図面に基づいて説明する。
【００１３】
図１，図２に示すように、包装容器１は、透明樹脂製の容器本体２と、ミシン目３を有したヒンジ部４を介して容器本体２と一体形成された蓋体５とから構成されている。
【００１４】
容器本体２は、収容物を入れる凹部６と、この凹部６の周囲に設けられた突き合わせ部７とを有する。蓋体５は、容器本体２の凹部６の窪み方向と同一方向に突出する凸部８と、この凸部８の周囲に設けられた突き合わせ部９とを有する。
【００１５】
そして、ヒンジ部４を中心に容器本体２と蓋体５とを互いに近接する閉方向に移動させることで凹部６と凸部８とが嵌合し、且つ、互いの突き合わせ部７，９同士が密接して凹部６を塞ぐ図１に示す密閉状態となり、ヒンジ部４を中心に容器本体２と蓋体５とを互いに離間する開方向に移動させることで凹部６と凸部８との嵌合が解除され、且つ、互いの突き合わせ部７，９同士が離間して凹部６内を開放する図２に示す開放状態となる。
【００１６】
凹部６とこれに嵌合する凸部８は、ほぼ収容物の形状や大きさに応じて設定され、例えば複数枚の板状の芳香具（収容物）３０が収容される形状及び大きさに設定されている。図３に示すように、芳香具３０は袋３１に収納され、この袋３１の中部の開口部３１ａが容易に開口できるようになっている。
【００１７】
容器本体２の突き合わせ部７及び蓋体５の突き合わせ部９には、密閉状態で同一位置となる箇所に互いに係止する第１の係止部１０，１１がそれぞれ設けられている。各第１の係止部１０，１１は、互いの部分に当接すると一方若しくは双方が弾性変形して進入を許容し、進入し終わると弾性復帰変形して係止するようになっている。即ち、容器本体２側の第１の係止部１０は容器本体２の凹部６の窪み方向と逆方向に突出する略円筒状に突出形成され、蓋体５側の第１の係止部１１は蓋体５の凸部８と逆方向に突出する略四角筒状の窪み形状に形成されている。
【００１８】
容器本体２の凹部６を形成する側壁と蓋体５の凸部８を形成する側壁には、密閉状態で同一位置となる４箇所に互いに係止する第２の係止部（係止部）１２，１３がそれぞれ設けられている。各第２の係止部１２，１３は互いの部分が当接すると一方若しくは双方が弾性変形して進入を許容し、進入し終わると弾性復帰変形して係止するようになっている。即ち、容器本体２側の第２の係止部１２は容器本体２の凹部６の他の側面より窪む溝形状に形成され、蓋体５の第２の係止部１３は蓋体５の凸部８の他の側面より突出する凸状に形成されている。
【００１９】
容器本体２のミシン目３の近傍には、左右一対の脚部１４，１４が凹部６の窪み方向と同一方向に突出して設けられている。この一対の脚部１４，１４の内面側は凹部６に開口されている。また、容器本体２と蓋体５とのミシン目３の近傍で密閉状態で同一位置となる箇所、即ち、一対の脚部１４，１４の間の箇所には補助嵌合部１５，１６がそれぞれ設けられている。尚、容器本体２の凹部６の一対の第１の係止部１０，１０間の中央は円弧状に突出した円弧部１７になっている。
【００２０】
図３に示すように、蓋体５の背面には凸部８によって凹部１８が設けられ、この凹部１８が芳香具３０の使用設置場所として利用される。蓋体５の突き合わせ部１１には、容器本体２の突き合わせ部７より突き合わせされた状態で外側に突出するつまみ部１９が設けられている。
【００２１】
一方、図１に示すように、台紙２０はカード状を有し、下部の両側に容器本体２の一対の第１の係止部１０，１０が挿入される一対の丸孔２１，２１が設けられ、上部には図示しないフックに吊り下げるための丸孔２２が設けられている。
【００２２】
次に、包装容器１の作用を説明する。先ず、包装容器１に芳香具３０を収容する場合を説明する。図２に示すように、開放状態の包装容器１にあって容器本体２の凹部６内に袋３１に入った芳香具３０を複数積層した状態で収容し、また、容器本体２の第１の係止部１０に台紙２０の丸孔２１を挿入する。
【００２３】
そして、ミシン目３を有したヒンジ部４を介して蓋体５を容器本体２に突き合わせる閉方向に移動させると、先ず補助嵌合部１５，１６同士が嵌合を開始し、この嵌合で容器本体２と蓋体５との位置合わせがなされる。次に、容器本体２の凹部６と蓋体５の凸部８との嵌合が開始される。この嵌合動作が進み、互いの突き合わせ部７，９同士が密接する少し手前で各第１の係止部１０，１１同士及び各第２の係止部１２，１３同士が突き当たり、この反力に抗して蓋体５を閉方向に更に移動させることにより、凹部６と凸部８とが完全に嵌合し、互いの突き合わせ部７，９同士が密接すると共に、各第１の係止部１０，１１同士及び各第２の係止部１２，１３同士が係止状態となる。
【００２４】
図１に示すように、包装容器１が密閉状態となると共に、台紙２０が容器本体２と蓋体５とで一部が挾持されることによって装着される。この台紙２０の丸孔２２に図示しない吊り下げ用のフックを挿入することによって包装容器１が吊り下げられる。この状態は、例えば店頭販売時の吊り下げ販売態様に便利である。また、ヒンジ部４にミシン目３を形成し、その折れ目がフラットであるため、スタイディング性が良く、図１に示すように、包装容器１を一対の脚部１４，１４で自立できる、従って、包装容器１を自立させることによって場所を取らずに載置でき、例えばユーザの使用時や店頭販売の載置展示に便利である。
【００２５】
また、台紙２０が不要の場合には、台紙２０を容器本体２の第１の係止部１０に挿入することなく上述の密閉動作を行うと、台紙２０を装着することなく包装容器１を密閉状態とすることができる。この場合にも、包装容器１を一対の脚部１４，１４で自立させることによって場所を取らずに載置できる。
【００２６】
包装容器１の開放状態から密閉状態への動作にあって、補助嵌合部１５，１６による補助嵌合された後に容器本体２の凹部６と蓋体５の凸部８との嵌合がなされるため、嵌合が正確且つ容易にできる。また、密閉状態では、包装容器１が容器本体２の凹部６が蓋体５の凸部８に嵌合されるため、容器本体２と蓋体５とが強制的に位置合わせされてゆがみの発生が極力抑えられ、さらに、仮に容器本体２や蓋体５にゆがみ等が発生しても、容器本体２と蓋体５との間に隙間が発生せず、収容物である芳香具３０の入った袋３１の脱落を防止できる。そして、本実施形態のように、収容物が板状の物品（芳香具３０）の場合にあってもその脱落を確実に防止できる。また、容器本体２の凹部６が蓋体５の凸部８に嵌合される構造であるため、開閉動作を繰り返しても密閉状態を確実に保持できる。
【００２７】
また、容器本体２の凹部６と蓋体５の凸部８に各第２の係止部１２，１３をそれぞれ設けたので、容器本体２と蓋体５との嵌合が各第２の係止部１２，１３によってより強固になるため、収容物である芳香具３０の脱落をより確実に防止できる。さらに、容器本体２と蓋体５との嵌合は、容器本体２の凹部６と蓋体５の凸部８の各第２の係止部１２，１３のみならず、容器本体２の突き合わせ部７と蓋体５の突き合わせ部９の各第１の係止部１０，１１によって行うため、容器本体２と蓋体５との密閉状態がより確実に保持され、輸送時や落下時に包装容器１が開放される事故を防止できる。その上、各第１の係止部１０，１１を利用して台紙２０の装着もなされる。
【００２８】
次に、包装容器１から芳香具３０を取り出す場合を説明する。図１の密閉状態の包装容器１にあって、容器本体２と蓋体５とをヒンジ部４のミシン目３を中心に引き離す開方向に移動させると、容器本体２と蓋体５の各第１の係止部１０，１１間及び各第２の係止部１２，１３間の係止状態が解除されて容器本体２と蓋体５とが離間され、容器本体２の凹部６が開放される。即ち、図２に示す状態となり、容器本体２の凹部６内の芳香具３０の入った袋３１を容易に取り出すことができる。
【００２９】
また、取り出した芳香具３０の入った袋３１は、図３に示すように、両面テープ３２で蓋体５の背面の凹部１８に貼着し、芳香具３０の入った袋３１の開口部３１ａを開口して芳香具３０の一部を露出させることによって包装容器１自体に設置できる。例えば、一対の脚部１４，１４で自立させて設置する場合にあって包装容器１が蓋体５の背面を下面として倒れたときに、凹部１８内が突き合わせ部９と床等の設置面とによって密閉されるため、芳香具３０の内容物が飛散せず、また、芳香具３０が直接に床等の設置面に接触しないため、芳香具３０の内容物が床等の設置面に付着して設置面を汚すこともない。
【００３０】
さらに、台紙２０が装着されていない密閉状態の包装容器１を開放する時に、蓋体５のつまみ部１９が容器本体２の突き合わせ部７より突出しているため、容器本体２と蓋体５との最初の引き離し動作が容易にできる。
【００３１】
尚、前記実施形態によれば、収容物を複数枚の板状の芳香具３０の入った袋３１とした場合を説明したが、収容物の形状、種類、枚数を問わない。また、収容物は板状でなくても良く、芳香具３０でなくても良く、複数枚でなくても良い。さらに、包装容器１を透明な合成樹脂部材にて形成して凹部６内を外部から認識できるようにしたが、透明でなくても良い。
【符号の説明】
【００３２】
１  包装容器
２  容器本体
３  ミシン目
４  ヒンジ部
５  蓋体
６  凹部
８  凸部
１２，１３  第２の係止部（係止部）
３０  芳香具（収容物）
【図１】
2010064797.tif 000003
【図２】
2010064797.tif 000004
【図３】
2010064797.tif 000005